(57)【要約】【課題】ＯＡＭサービスを提供すべきシステムの数によらず、少数の監視装置で高品質のＯＡＭサービスを提供することの可能な伝送ネットワーク監視システムおよび伝送ネットワークの監視方法を低コストで提供する。【解決手段】光伝送装置２１〜２ｎと監視装置１とをＬＡＮスイッチ３を介して接続する。ＬＡＮスイッチ３が備えるＶＬＡＮトランク機能を利用し、ダブルリングＡ〜Ｚにそれぞれ対応するＶＬＡＮ１〜３をネットワーク内に形成する。そして、各ダブルリングと監視装置１との間のデータ授受を、ＶＬＡＮ１〜３を介して実施することにより、あるダブルリングから監視装置１宛てに送出された、リップやハローなどのブロードキャストデータも含むデータが他のダブルリングに入り込むことを防止する。同様に、監視装置１からあるダブルリングに宛てて送出されたデータが他のダブルリングに入り込むことを防止する。【選択図】　　図２
2004032633.tif 000002
【特許請求の範囲】
【請求項１】
複数のノード装置が通信回線を介して接続されるサブネットワークを複数備える伝送ネットワークに対してＯＡＭ（Ｏｐｅｒａｔｉｏｎｓ，Ａｄｍｉｎｉｓｔｒａｔｉｏｎ　ａｎｄ　Ｍａｉｎｔｅｎａｎｃｅ）サービスを提供する伝送ネットワーク監視システムにおいて、
前記複数のサブネットワークごとにそれぞれ少なくとも一つのノード装置とＯＡＭ用データを授受して、当該複数のサブネットワークのそれぞれに対して前記ＯＡＭサービスを提供する監視装置と、
この監視装置と、当該監視装置と前記ＯＡＭ用データを授受するノード装置とに接続され、前記ＯＡＭサービスを提供すべきドメインごとに閉じたデータ通信環境を提供する擬似通信網を形成する擬似通信網形成手段とを具備することを特徴とする伝送ネットワーク監視システム。
【請求項２】
前記擬似通信網形成手段は、前記ＯＡＭサービスを提供すべきドメインごとにＶＬＡＮ（Ｖｉｒｔｕａｌ　ＬＡＮ）を形成することを特徴とする請求項１に記載の伝送ネットワーク監視システム。
【請求項３】
前記擬似通信網形成手段はレイヤ２レベルでのフレーム転送処理を行ない、ＶＬＡＮトランク機能を備えるＬＡＮスイッチであり、前記ＶＬＡＮトランク機能により前記ＶＬＡＮを形成することを特徴とする請求項２に記載の伝送ネットワーク監視システム。
【請求項４】
複数のノード装置が通信回線を介して接続されるサブネットワークを複数備える伝送ネットワークに設けられる監視装置から当該伝送ネットワークに対してＯＡＭ（Ｏｐｅｒａｔｉｏｎｓ，Ａｄｍｉｎｉｓｔｒａｔｉｏｎ　ａｎｄ　Ｍａｉｎｔｅｎａｎｃｅ）サービスを提供する伝送ネットワークの監視方法において、
前記監視装置が前記ＯＡＭサービスを提供すべきドメインごとに、当該監視装置とＯＡＭ用データを授受するノード装置と当該監視装置との間で閉じたデータ通信環境を提供する擬似通信網を形成する第１ステップと、
前記監視装置が、前記複数のサブネットワークごとにそれぞれ少なくとも一つのノード装置と前記ＯＡＭ用データを授受して当該複数のサブネットワークのそれぞれに対して前記ＯＡＭサービスを提供する第２ステップとを具備することを特徴とする伝送ネットワークの監視方法。
【請求項５】
前記第１ステップは、前記ＯＡＭサービスを提供すべきドメインごとにＶＬＡＮ（Ｖｉｒｔｕａｌ　ＬＡＮ）を形成することを特徴とする請求項４に記載の伝送ネットワークの監視方法。
【発明の詳細な説明】
【０００１】
【発明の属する技術分野】
本発明は、ＳＤＨ（Ｓｙｎｃｈｒｏｎｏｕｓ　Ｄｉｇｉｔａｌ　Ｈｉｅｒａｒｃｈｙ）／ＳＯＮＥＴ（Ｓｙｎｃｈｒｏｎｏｕｓ　Ｏｐｔｉｃａｌ　Ｎｅｔｗｏｒｋ）などの規格に準拠するサブネットワークを複数備える伝送ネットワークを監視／制御するための伝送ネットワーク監視システムおよび伝送ネットワークの監視方法に関する。
【０００２】
【従来の技術】
一般に伝送ネットワークは、情報伝送を担うノード装置と、ネットワークに対してＯＡＭ（Ｏｐｅｒａｔｉｏｎｓ，Ａｄｍｉｎｉｓｔｒａｔｉｏｎ　ａｎｄ　Ｍａｉｎｔｅｎａｎｃｅ）サービスを提供する監視装置とを備える。近年では波長多重技術の進歩により、互いに異なる波長が割り当てられたサブネットワークを多重して大規模な伝送ネットワークを構成する手法が採られる。普通、各サブネットワークはＳＤＨ／ＳＯＮＥＴアーキテクチャのもとで構成され、また障害への耐性を高めるためにリング状に形成されることが多い。
【０００３】
図６は、従来の伝送ネットワーク監視システムの構成を概略的に示す図である。このシステムは、それぞれ２つのリングネットワークからなる系（以下ダブルリングと称する）Ａ，Ｂ，〜，Ｚを、各一つの監視装置１Ａ，１Ｂ，〜，１Ｚで管理する形態をしている。各リングネットワークはそれぞれ複数（図６では４つ）の光伝送装置２を光ファイバ回線ＦＬでリング状に接続したものである。
【０００４】
各ダブルリングＡ，Ｂ，〜，Ｚに属するリングネットワークのいずれか一つの光伝送装置２が、それぞれＬＡＮ５Ａ，５Ｂ，〜５Ｚを介して監視装置１Ａ，１Ｂ，〜，１Ｚに接続される。監視装置１Ａ，１Ｂ，〜，１Ｚは、それぞれダブルリングＡ，Ｂ，〜，Ｚに閉じた単位でのＯＡＭサービスを実施する。このようにリング数が比較的少ない場合には、従来では各ダブルリングごとに監視装置を設けるようにしている。
【０００５】
図７は、従来の伝送ネットワーク監視システムの別の構成を概略的に示す図である。近年ではネットワークの大規模化に伴い、ダブルリングの数が増えてきている。図７のシステムは、図６と比較して多数のダブルリングを備えるとする。この場合各ダブルリングごとに監視装置を設けると、フロアスペースやコストの増大を招くので好ましくない。そこで図７に示されるように、各リングネットワークに属する光伝送装置２を共通のＬＡＮ５を介して１台の監視装置１に接続したいというニーズがある。
【０００６】
しかしながらこのようなシステム形態では、全ての光伝送装置２から送出されるトラフィックがＬＡＮ５に集中するためパフォーマンスの低下を招く。すなわち光伝送装置２の要求仕様に対するデータ量がオーバフローし、このため通信の信頼性を確保することが困難になる。
【０００７】
また当然ながら、全ての光伝送装置２から送出されるデータがＬＡＮ５を介して全ての光伝送装置２に送られることになる。これは、セキュリティ確保などの面から極めて好ましくない。
【０００８】
さらに、共通のＬＡＮ５を介して監視装置１と通信するためのプロトコルの実装など、光伝送装置２を変更してその機能をバージョンアップする必要も生じるため、コストも増加する。
【０００９】
【発明が解決しようとする課題】
このように従来の伝送ネットワーク監視システムは、ＯＡＭサービスを提供する対象となるシステムの数が増えるに伴い監視装置の数を増やさなくてはならず、コストの増大などの不具合を招く。また敢えて１台または少数の監視装置で全システムを監視制御しようとすると通信の信頼性が保証されず、またセキュリティなどの面にも不備があり、さらには光伝送装置（すなわちノード装置）の変更のための手間やコストがかかるという不具合が有る。
【００１０】
本発明は上記事情によりなされたもので、その目的は、ＯＡＭサービスを提供すべきシステムの数によらず、少数の監視装置で高品質のＯＡＭサービスを提供することの可能な伝送ネットワーク監視システムおよび伝送ネットワークの監視方法を低コストで提供することにある。
【００１１】
【課題を解決するための手段】
上記目的を達成するために本発明は、複数のノード装置（例えば光伝送装置）が通信回線（例えば光ファイバ回線ＦＬ）を介して接続されるサブネットワーク（例えば個々のリングネットワーク）を複数備える伝送ネットワークに対してＯＡＭ（Ｏｐｅｒａｔｉｏｎｓ，Ａｄｍｉｎｉｓｔｒａｔｉｏｎ　ａｎｄ　Ｍａｉｎｔｅｎａｎｃｅ）サービスを提供する伝送ネットワーク監視システムにあって、前記複数のサブネットワークごとにそれぞれ少なくとも一つのノード装置（例えば光伝送装置２１，２２，２３，３４，２ｍ、２ｎ）とＯＡＭ用データを授受して、当該複数のサブネットワークのそれぞれに対して前記ＯＡＭサービスを提供する監視装置（例えば監視装置１）と、この監視装置と当該監視装置と前記ＯＡＭ用データを授受するノード装置とに接続される擬似通信網形成手段（例えばＬＡＮスイッチ３と制御部４）とを具備することを特徴とする。そして、擬似通信網形成手段により、ＯＡＭサービスを提供すべきドメイン（例えばダブルリングＡ，Ｂ，〜，Ｚ）ごとに閉じたデータ通信環境を提供する擬似通信網（例えばＶＬＡＮ）を形成するようにする。
【００１２】
このような手段を講じることにより、各ダブルリングＡ，Ｂ，〜，Ｚと監視装置は、それぞれ閉じたデータ通信環境ＶＬＡＮを基盤としてデータ通信を行なうことができる。これにより、或るダブルリングに属する光伝送装置から監視装置１宛てに送出されるデータが他の光伝送装置に入り込むことを防止できる。従って少なくとも１台の監視装置で複数のリングネットワークを監視することが可能となり、集中監視の実現、監視装置の削減、設置面積の省スペース化を実現することができる。従って、ＯＡＭサービスを提供すべきシステムの数によらず、少数の監視装置で高品質のＯＡＭサービスを提供することの可能な伝送ネットワーク監視システムおよび伝送ネットワークの監視方法を低コストで提供することが可能となる。
【００１３】
【発明の実施の形態】
以下、図面を参照して本発明の実施の形態を詳細に説明する。
図１は、本発明に係わる伝送ネットワーク監視システムの実施の形態を示すシステム構成図である。なお図１において図６、図７と共通する部分には同一の符号を付し、ここでは異なる部分についてのみ説明する。
【００１４】
図１において、各ダブルリングＡ，Ｂ，〜，Ｚを形成するリングネットワークに属する光伝送装置２のうち、それぞれ一つがＬＡＮスイッチ３に接続される。ＬＡＮスイッチ３に接続されるこれらの光伝送装置に、区別のため２１，２２，２３，２４，〜，２ｍ，２ｎなる符号を付す。ＬＡＮスイッチ３は監視装置１に接続され、その通信制御動作は制御部４により制御される。このような構成であるので、各リングネットワークと監視装置１との間でのデータの授受は、光伝送装置２１，２２，２３，２４，〜，２ｍ，２ｎからＬＡＮスイッチ３を介して実施される。
【００１５】
ＬＡＮスイッチ３はいわゆるスイッチングハブと称され、ＭＡＣ（ｍｅｄｉａ　ａｃｃｅｓｓ　ｃｏｎｔｒｏｌ）アドレスに基づいてレイヤ２レベルでのフレーム転送処理を行なう。またＬＡＮスイッチ３は、ネットワーク内にＶＬＡＮ（Ｖｉｒｔｕａｌ　ＬＡＮ）を形成するためのＶＬＡＮ機能と、この機能を実現するためのＶＬＡＮトランク機能とを備える。
【００１６】
ＶＬＡＮとは、ネットワーク内の端末を物理的なＬＡＮ構成とは独立にレイヤ２レベルでグループ化する機能である。または、その機能により論理的に構成されるＬＡＮのことを意味する。ＶＬＡＮ機能を利用することにより、物理的な接続形態に縛られずに論理的なサブネットを構成することが可能になる。
【００１７】
ＶＬＡＮ機能とは、ＩＥＥＥ標準８０２．１Ｑなどに準拠する機能である。この標準には、フレームにタグを付与することでそのフレームがどのＶＬＡＮに属するのかを識別するタギング方式と呼ばれるＶＬＡＮグループ識別方法が規定されている。
【００１８】
ネットワーク内にＶＬＡＮが定義されると、ブリッジング通信はそのＶＬＡＮ内に閉じたものとなる。よってＶＬＡＮを定義するということは、ブロードキャストフレームが届く範囲（ブロードキャストドメイン）をＭＡＣレベルで制限するということを意味する。
【００１９】
ＶＬＡＮトランク機能とは、ＬＡＮスイッチの１または複数のポートと他のネットワーク機器（他のＬＡＮスイッチやルータなど）との間に設定されるポイント・ツウ・ポイントリンクである。ＶＬＡＮトランク機能を利用して複数のＶＬＡＮトラフィックを転送することにより、ネットワーク全体にわたってＶＬＡＮを拡張することができる。
【００２０】
図２は、図１の構成において光伝送装置２１〜２ｎから監視装置１に対してデータが伝送される様子を示す模式図である。図２において、光伝送装置２１から送出されるデータをＡ１，光伝送装置２２から送出されるデータをＡ２とする。また光伝送装置２３から送出されるデータをＢ３，光伝送装置２４から送出されるデータをＢ４とする。また光伝送装置２ｍから送出されるデータをＣ５，光伝送装置２ｎから送出されるデータをＣ６とする。
【００２１】
図２において、光伝送装置２１と２２、光伝送装置２３と２４、光伝送装置２ｍと２ｎに対してそれぞれＶＬＡＮが形成される。これらをそれぞれＶＬＡＮ１，ＶＬＡＮ２，ＶＬＡＮ３として区別する。従ってダブルリングＡ、ダブルリングＢ，ダブルリングＺに対応してそれぞれＶＬＡＮ１，ＶＬＡＮ２，ＶＬＡＮ３が形成されることになる。
【００２２】
図３は、図２に示される動作を説明するためのフローチャートである。このフローチャートでは光伝送装置２１から監視装置１にデータを送信する場合につき説明する。図３において、光伝送装置２１は監視装置１にデータを送信するにあたりまずＬＡＮスイッチ３にデータＡ１を送信する（ステップＳ１１）。そうすると、ＬＡＮスイッチ３は光伝送装置２１が送信したデータをＶＬＡＮトランク機能を使用して制御部４へ送信する（ステップＳ１２）。
【００２３】
制御部４は、データＡ１の宛先に監視装置１のＭＡＣアドレスが記載されていることを確認してこのデータＡ１をＬＡＮスイッチ３に送信（返信）する（ステップＳ１３）。これを受けてＬＡＮスイッチ３は、制御部４から送信されたデータＡ１を監視装置１に送信する（ステップＳ１４）。
【００２４】
このように、光伝送装置２１から送出されるデータはＬＡＮスイッチ３を仲介とし、制御部４を経由して監視装置１に送られる。他の光伝送装置２２〜２ｎから送出されるデータも同様の手順により監視装置１に転送される。
【００２５】
このような手順を経てデータ転送が実施されることにより、図２に示されるような各々独立したＶＬＡＮが形成される。これにより例えばＶＬＡＮ１に属する光伝送装置２１，２２から送出されるデータが他のＶＬＡＮ２，３に入り込むことを防止できる。他のＶＬＡＮへの入り込みを防止されるデータとしてはポイント・ツウ・ポイントで授受されるデータのほか、リップやハローなどのブロードキャストデータも含まれ、要するにデータの形式を問わずに他のＶＬＡＮへの入り込みが防止される。これにより、ＶＬＡＮ２，３におけるデータトラフィックの輻そうを防止できる。
【００２６】
同様に、ＶＬＡＮ２に属する光伝送装置２３，２４から送出されるデータがＶＬＡＮ１，３に入り込むことを防止できる。またＶＬＡＮ３に属する光伝送装置２ｍ，２ｎから送出されるデータがＶＬＡＮ１，２に入り込むことを防止できる。これらのことから、各ＶＬＡＮ１，２，３におけるデータトラフィックの輻そうを防止できる。
【００２７】
図４は、図１の構成において監視装置１から光伝送装置２１〜２ｎに対してデータが伝送される様子を示す模式図である。図４において、監視装置１から光伝送装置２１宛てに送出されるデータをＡ１，光伝送装置２２宛てに送出されるデータをＡ２とする。また監視装置１から光伝送装置２３宛てに送出されるデータをＢ３，光伝送装置２４宛てに送出されるデータをＢ４とする。また監視装置１から光伝送装置２ｍ宛てに送出されるデータをＣ５，光伝送装置２ｎ宛てに送出されるデータをＣ６とする。
【００２８】
図５は、図４に示される動作を説明するためのフローチャートである。このフローチャートでは監視装置１から光伝送装置２１にデータを送信する場合につき説明する。図５において、監視装置１は光伝送装置２１にデータを送信するにあたり、各光伝送装置宛てのデータＡ１〜Ｃ６を含むフレームをまずＬＡＮスイッチ３に送信する（ステップＳ２１）。そうすると、ＬＡＮスイッチ３は監視装置１が送信したデータＡ１〜Ｃ６をＶＬＡＮトランク機能を使用して制御部４へ送信する（ステップＳ２２）。
【００２９】
制御部４は、各データＡ１〜Ｃ６のヘッダなどに宛先の光伝送装置のＭＡＣアドレスが記載されていることを確認し、各データＡ１〜Ｃ６をＬＡＮスイッチ３に送信する（ステップＳ２３）。これを受けてＬＡＮスイッチ３は、制御部４により送信されたデータＡ１〜Ｃ６を、ＬＡＮトランク機能を使用してアドレス指定された光伝送装置だけに送信する（ステップＳ２４）。
【００３０】
このように、監視装置１から送出されるデータはＬＡＮスイッチ３を仲介とし、制御部４を経由してそれぞれ宛先とする光伝送装置だけに送られる。このような手順を経てデータ転送が実施されることにより、図４に示されるような各ＶＬＡＮ１〜３だけに閉じた形でのデータ通信が実現される。これにより監視装置１から例えばＶＬＡＮ１に属する光伝送装置２１または２２に宛てたデータが他のＶＬＡＮ２，３に入り込むことを防止できる。これにより、ＶＬＡＮ２，３におけるデータトラフィックの輻そうを防止できる。
【００３１】
同様に、監視装置１からＶＬＡＮ２に属する光伝送装置２３または２４に宛てたデータがＶＬＡＮ１，３に入り込むことを防止できる。また監視装置１からＶＬＡＮ３に属する光伝送装置２ｍまたは２ｎに宛てたデータがＶＬＡＮ１，２に入り込むことを防止できる。これらのことから、各ＶＬＡＮ１，２，３におけるデータトラフィックの輻そうを防止できる。
【００３２】
このように本実施形態では、光伝送装置２１〜２ｎと監視装置１とをＬＡＮスイッチ３を介して接続する。ＬＡＮスイッチ３が備えるＶＬＡＮトランク機能を利用し、ダブルリングＡ〜Ｚにそれぞれ対応するＶＬＡＮ１〜３をネットワーク内に形成する。そして、各ダブルリングと監視装置１との間のデータ授受を、ＶＬＡＮ１〜３を介して実施することにより、あるダブルリングから監視装置１宛てに送出された、リップやハローなどのブロードキャストデータも含むデータが他のダブルリングに入り込むことを防止する。同様に、監視装置１からあるダブルリングに宛てて送出されたデータが他のダブルリングに入り込むことを防止するようにしている。
【００３３】
このようにしたので、各ダブルリングＡ〜Ｚと監視装置１との間のデータ授受を、それぞれ他のダブルリングに影響を与えることなく実施できるようになり、通信媒体におけるデータトラフィックの輻そうを防止して、少なくとも１台の監視装置によりシステム全体にわたるＯＡＭサービスを提供することが可能となる。しかも、光伝送装置から見れば、監視装置１に対するインタフェースは従来と何ら変わるところがない。従って光伝送装置を変更する必要が無く、既存の装置を利用して新たな伝送ネットワーク監視システムを構築することができるので、コスト的にも有利となる。
【００３４】
さらに、１台の監視装置にて複数のリングネットワークを監視することができることから、ネットワークの集中監視を実現することができ、ひいては設置面積の省スペース化を図ることが可能となる。
【００３５】
これらのことから、ＯＡＭサービスを提供すべきシステムの数によらず、少数の監視装置で高品質のＯＡＭサービスを提供することの可能な伝送ネットワーク監視システムおよび伝送ネットワークの監視方法を低コストで提供することが可能となる。
【００３６】
なお、本発明は上記実施の形態に限定されるものではない。例えばＬＡＮスイッチ３としては、入力パケットの第３層（ネットワーク層）アドレスをもとにパケットを転送処理する、いわゆるレイヤ３スイッチを使用しても良い。
このほか、本発明の要旨を逸脱しない範囲で種々の変形実施を行うことができる。
【００３７】
【発明の効果】
以上詳述したように本発明によれば、ＯＡＭサービスを提供すべきシステムの数によらず、少数の監視装置で高品質のＯＡＭサービスを提供することの可能な伝送ネットワーク監視システムおよび伝送ネットワークの監視方法を低コストで提供することができる。
【図面の簡単な説明】
【図１】本発明に係わる伝送ネットワーク監視システムの実施の形態を示すシステム構成図。
【図２】図１の構成において光伝送装置２１〜２ｎから監視装置１に対してデータが伝送される様子を示す模式図。
【図３】図２に示される動作を説明するためのフローチャート。
【図４】図１の構成において監視装置１から光伝送装置２１〜２ｎに対してデータが伝送される様子を示す模式図。
【図５】図４に示される動作を説明するためのフローチャート。
【図６】従来の伝送ネットワーク監視システムの構成を概略的に示す図。
【図７】従来の伝送ネットワーク監視システムの別の構成を概略的に示す図。
【符号の説明】
１…監視装置
２…光伝送装置
２１，２２，２３，２４，〜，２ｍ，２ｎ…光伝送装置
３…ＬＡＮスイッチ
４…制御部
Ａ，Ｂ，〜，Ｚ…ダブルリング
【図１】
2004032633.tif 000003
【図２】
2004032633.tif 000004
【図３】
2004032633.tif 000005
【図４】
2004032633.tif 000006
【図５】
2004032633.tif 000007
【図６】
2004032633.tif 000008
【図７】
2004032633.tif 000009